(57)【要約】【課題】複数の係止爪の撓み部に十分な横断面積を設定でき、かつ、挿入時に係止爪の撓み部を傷付け難い、アンカー部の損傷を防止できるアンカークリップ構造を提供する。【解決手段】パネル１０の開口１１の内周縁部１１ａに対向するクリップ本体部２１と、クリップ本体部２１から突出し、パネル１０の開口１１に挿入され開口縁部１１ａに係止される複数の係止爪３２、３３を有するアンカー部２３と、を備えたアンカークリップ構造であって、アンカー部２３が、開口１１への挿入方向の先端側に開く凹状のスリット３１を形成するよう、突出端３２ａ、３３ａ側で互いにパネル１０の開口径方向に離間する一方および他方の係止爪３２、３３を有している。【選択図】図１
2017141940.tif 000002
【特許請求の範囲】
【請求項１】
パネルの開口の内周縁部に対向するクリップ本体部と、
クリップ本体部から突出し、前記パネルの開口に挿入され前記開口縁部に係止される複数の係止爪を有するアンカー部と、を備えたアンカークリップ構造であって、
前記アンカー部が、前記開口への挿入方向の先端側に開く凹状のスリットを形成するよう、突出端側で互いに前記パネルの開口径方向に離間する一方および他方の係止爪を有していることを特徴とするアンカークリップ構造。
【請求項２】
前記一方および他方の係止爪が、前記突出端側で、前記パネルの開口径方向のうち直交する２方向のそれぞれに離間していることを特徴とする請求項１に記載のアンカークリップ構造。
【請求項３】
請求項１または請求項２に記載のアンカークリップ構造を有するバンドクリップであって、
前記パネルの開口の内周縁部に係止されるパネル固定部と、
前記パネル固定部に連結される帯状の結束部材と、を備えたバンドクリップ。
【発明の詳細な説明】
【技術分野】
【０００１】
本発明は、アンカークリップ構造およびバンドクリップ、特に係止爪を有するアンカークリップ構造およびその構造を有する電線結束に好適なバンドクリップに関する。
【背景技術】
【０００２】
係止爪を有するアンカークリップ構造は、車両の車体パネル等における開口部（開口の内周縁部）に他の搭載部品を固定するための各種固定具、例えばワイヤハーネスの電線群を結束しつつパネル固定するためのバンドクリップに多用されている。
【０００３】
このようなアンカークリップ構造を有するバンドクリップは、例えば図７に示すように、結束用のバンド１と、そのバンド１が結合されるクリップ本体２と、クリップ本体２からアンカー形状をなすように突出し、パネル５の開口縁部５ａに係止される係止爪３ａ、３ｂを有するアンカー部３と、皿状のシール基板部４と、を備えている。
【０００４】
また、この種の従来のバンドクリップとして、バンド貫通穴を設けたクリップ本体部と、そのクリップ本体部の外面より矢先状に突出する車体係止用のアンカー部と、バンド貫通穴に挿通されてクリップ本体部から突出するバンドとを備えたバンドクリップが知られている（例えば、特許文献１参照）。
【０００５】
さらに、締結バンドを設けたワイヤハーネス取付部から突設する一対の支柱部の突出端を連結する架橋部と、架橋部に支持されつつバンド幅方向の両側でバンド厚さ方向両側に突き出る一対の係止爪を有する羽根部とを備えたバンドクリップも知られている（例えば、特許文献２参照）。
【先行技術文献】
【特許文献】
【０００６】
【特許文献１】特開２００３−２３０２１８号公報
【特許文献２】特開２０１２−２０５４０９号公報
【発明の概要】
【発明が解決しようとする課題】
【０００７】
しかしながら、前述のような従来のアンカークリップ構造およびバンドクリップのいずれにおいても、矢先状のアンカー部の複数の係止爪が、開口内に挿入されるアンカー部の先端側で互いに近接しつつアンカー部の支柱部分に支持され、クリップ本体部に支持されるアンカー部の基端側で支柱部分に対しその挿入時に互いに接近し、係止時に互い離間して開口の内周縁部に係合するように構成されていた。
【０００８】
そのため、アンカー部の複数の係止爪と支柱部分との間には、通常、複数の係止爪の挿入から係止までの姿勢変化を許容するくびれ形状の撓み部（例えば、図７に示す薄肉部６ａ、６ｂ）が設けられており、アンカー部の挿入時に撓み部を傷付けたり、アンカー部がパネルの開口縁部に係止された状態でクリップに大きな外力が加わったりすると、その撓み部の近傍に破損が生じてしまうという未解決の課題があった。
【０００９】
本発明は、このような未解決の課題を解決すべくなされたものであり、アンカー部における複数の係止爪の撓み部に十分な横断面積を設定でき、しかも、そのアンカー部の挿入時に係止爪の撓み部を傷付け難い、アンカー部の損傷を確実に防止できるアンカークリップ構造を提供し、併せて、そのクリップ構造を用いたパネル固定強度の高いバンドクリップを提供することを目的とする。
【課題を解決するための手段】
【００１０】
本発明に係るアンカークリップ構造およびバンドクリップは、上記目的達成のため、パネルの開口の内周縁部に対向するクリップ本体部と、クリップ本体部から突出し、前記パネルの開口に挿入され前記開口縁部に係止される複数の係止爪を有するアンカー部と、を備えたアンカークリップ構造であって、前記アンカー部が、前記開口への挿入方向の先端側に開く凹状のスリットを形成するよう、突出端側で互いに前記パネルの開口径方向に離間する一方および他方の係止爪を有しているものである。
【００１１】
この構成により、本発明では、クリップ本体部側となる複数の係止爪の撓み部に十分な横断面積を設定でき、しかも、そのアンカー部の挿入時に複数の係止爪の挿入方向後方側に位置する撓み部を傷付け難くなる。したがって、アンカー部の損傷を確実に防止できるアンカークリップ構造となる。
【００１２】
本発明のアンカークリップ構造においては、前記一方および他方の係止爪が、前記突出端側で、前記パネルの開口径方向のうち直交する２方向のそれぞれに離間している構成とすることができる。
【００１３】
このようにすると、パネルの開口が比較的小径であっても、一方および他方の係止爪の挿入から係止までの姿勢変化を的確に許容可能となる。この場合、それぞれ一方および他方の係止爪の撓み部に近接しつつ前記開口の内周縁部に対し逆方向に対向する一対の径方向位置決め部を設けてもよい。
【００１４】
本発明に係るバンドクリップは、請求項１または請求項２に記載のアンカークリップ構造を有するバンドクリップであって、前記パネルの開口の内周縁部に係止されるパネル固定部と、前記パネル固定部に連結される帯状の結束部材と、を備えたものである。
【００１５】
この構成により、本発明では、パネル固定部の強度を高めて、そのアンカー部の損傷を確実に防止することのできる信頼性の高いバンドクリップとなる。
【発明の効果】
【００１６】
本発明によれば、アンカー部における複数の係止爪の撓み部に十分な横断面積を設定でき、しかも、そのアンカー部の挿入時に係止爪の撓み部を傷付け難い、アンカー部の損傷を確実に防止できるアンカークリップ構造を提供することができ、併せて、そのクリップ構造を用いたパネル固定強度の高いバンドクリップを提供することができる。
【図面の簡単な説明】
【００１７】
【図１】本発明の第１の実施の形態に係るアンカークリップ構造を有するバンドクリップのパネル固定部の概略断面図である。
【図２】図１に示すバンドクリップのＰ方向矢視図である。
【図３】図１に示すバンドクリップのうちアンカー部についてのＱ−Ｑ矢視断面図である。
【図４】本発明の第１の実施の形態に係るバンドクリップをパネルの開口の内周縁部に嵌合させる作業手順の説明図である。
【図５】本発明の第１の実施の形態に係るバンドクリップをパネルの開口の内周縁部に嵌合させる作業手順をその挿入方向の先端側から見た状態で示す説明図である。
【図６】（Ａ）は本発明の第２の実施の形態に係るアンカークリップ構造を有するバンドクリップのパネル固定部の概略断面図であり、（Ｂ）は（Ａ）のＲ方向矢視図である。
【図７】従来例のバンドクリップの説明図である。
【発明を実施するための形態】
【００１８】
以下、本発明を実施するための形態について図面を参照して説明する。
【００１９】
（第１の実施の形態）
第１の実施の形態のアンカークリップ構造を有するバンドクリップは、自動車のボディやドアモジュール等を構成するパネルに固定される複数のクリップのいずれかとなっており、他のクリップ等と協働してワイヤハーネスを複数箇所で結束しつつパネル固定されることで、ワイヤハーネスの配索経路を規制できるようになっている。
【００２０】
まず、本実施形態の構成を説明する。
【００２１】
図１に示すパネル１０は、自動車のボディやドアモジュール等を構成するパネルの一部であり、第１の実施の形態のアンカークリップ構造を有するバンドクリップ２０は、このパネル１０に形成された開口１１の内周縁部１１ａ（以下、開口縁部１１ａという）に係止され、あるいは、パネル１０とは開口径や板厚が異なるパネル１０Ｍに係止されるようになっている。
【００２２】
パネル１０の開口１１は、例えば長穴状のものであるが、角穴その他の非円形の開口形状を有するものであってもよいし、丸穴でもよい。
【００２３】
バンドクリップ２０は、例えばポリプロピレンやナイロン等の樹脂で形成されており、パネル１０の開口縁部１１ａに対向するクリップ本体部２１と、クリップ本体部２１から側方に突出する帯状の結束部材であるバンド部２２と、開口１１に挿入されてパネル１０の裏面１２側で開口縁部１１ａに係止されるアンカー部２３（パネル固定部）と、を備えている。
【００２４】
クリップ本体部２１は、また、アンカー部２３の基端側でアンカー部２３を取り囲む環状の基板部２４と、アンカー部２３および基板部２４のそれぞれに対し一体に結合されたバンド結合部２５とを併有している。
【００２５】
バンド部２２は、ワイヤハーネスの電線群Ｗを結束するときの内周面または外周面となる片面側、例えばその外周面側にセレーション状の係止用凹凸形状部分２２ａを有する公知のもので、先端側で小幅および薄肉になっている。このバンド部２２は、クリップ本体部２１のバンド挿入孔２５ａに対して先端側から挿通され、抜け止め係止される状態で、ワイヤハーネスの電線群Ｗを結束するようになっている。
【００２６】
図１ないし図３に示すように、クリップ本体部２１の基板部２４は、開口１１の周囲でパネル１０の表面１３に係合するスカート状の外周シール部分２４ａを有している。また、バンド結合部２５は、バンド部２２を先端側から挿入可能なバンド挿入孔２５ａが形成された枠部２５ｂと、バンド部２２をバンド挿入孔２５ａに挿入された状態で抜け止め係止するバンド係止爪２５ｃとを有している。
【００２７】
ここでは、バンド部２２は、その基端側でバンド結合部２５の枠部２５ｂに一体に結合されているものとするが、バンド部２２の一部がバンド結合部２５によって少なくともワイヤハーネスの電線束径方向に拘束されていればよい。
【００２８】
したがって、バンド部２２とバンド結合部２５の枠部２５ｂとが一体に形成されず、バンド結合部２５にバンド挿入孔２５ａが形成されるだけで、バンド係止爪２５ｃが設けられなくてもよい。
【００２９】
また、バンド結合部２５に対し一体に結合する基板部２４は、アンカー部２３での後述する撓みを許容し得る形状の範囲内で、円環板状や平板その他の形状であってもよい。さらに、バンド係止爪２５ｃは、バンド部２２のセレーション状の係止用凹凸形状部分２２ａに係合するとき、バンド部２２を枠部２５ｂに対して抜け止めする爪状のものであるが、公知の任意の結束用抜止め構造とすることができる。
【００３０】
一方、アンカー部２３は、それぞれかぎ形をなすパネル穴固定用の一方の係止爪３２および他方の係止爪３３を有している。
【００３１】
図１ないし図３に示すように、一方の係止爪３２および他方の係止爪３３は、それぞれの突出端３２ａ、３３ａ側で互いにパネル１０の開口１１の径方向に離間しており、それぞれの開口１１への挿入方向である図１中の上方側に向って開く凹状のスリット３１を形成している。
【００３２】
また、一方の係止爪３２および他方の係止爪３３は、それぞれ異なるパネル厚や開口径に対応できるよう複数段の段付き状に形成され、開口１１の径方向で互いに逆向きに突出する係止部３２ｂ、３３ｂを有している。
【００３３】
より具体的には、スリット３１は、基板部２４およびバンド結合部２５に近接する一方の係止爪３２および他方の係止爪３３の基端部３２ｃ、３３ｃ側に達する深さを有しており、基板部２４のパネル当接面２４ｂよりもバンド結合部２５側にまで入り込んでいる。
【００３４】
また、図１および図２に示すように、一方の係止爪３２の突出端３２ａと他方の係止爪３３の突出端３３ａとは、パネル１０の開口１１の径方向のうち、直交する２方向（例えば図２中の上下方向と左右方向）のそれぞれに離間しており、互いに開口１１の長径方向に十分に変位できるようになっている。
【００３５】
さらに、一方の係止爪３２および他方の係止爪３３の基端部３２ｃ、３３ｃには、パネル１０の開口１１の短径方向の両側で開口縁部１１ａに近接するよう短径方向の略全域に及んで形成されたそれぞれの位置決めガイド部３２ｄ、３３ｄと、アンカー部２３の開口１１内への挿入時に突出端３２ａ、３３ａを開口１１の長径方向に十分に変位させるよう図１の左右方向に撓み、かつ、図示位置に復帰することができる撓み部３２ｅ、３３ｅと、が併設されている。
【００３６】
一方の係止爪３２の位置決めガイド部３２ｄおよび他方の係止爪３３の位置決めガイド部３３ｄは、開口１１の長径方向の両側で開口縁部１１ａに対向しつつ、開口１１の長径方向および短径方向に近接することで、パネル１０に対してアンカー部２３を回り止め可能になっている。すなわち、一方および他方の係止爪３２、３３の位置決めガイド部３２ｄ、３３ｄは、それぞれ一方および他方の係止爪３２、３３の撓み部３２ｅ、３３ｅに近接しつつ開口縁部１１ａに対し逆方向に対向する一対の径方向位置決め部となっている。
【００３７】
次に、図４および図５により、バンドクリップ２０をパネル１０の開口１１に挿入し、パネル１０の裏面１２側で開口縁部１１ａに係止する手順について説明する。
【００３８】
まず、図４（Ａ）および図５（Ａ）に示すように、一方および他方の係止爪３２、３３の突出端３２ａ、３３ａを、パネル１０の表面１３側から開口１１内に挿入し、係止部３２ｂ、３３ｂの挿入方向前方側の傾斜面３２ｆ、３３ｆを開口縁部１１ａに係合させる。
【００３９】
次いで、図４（Ｂ）〜図４（Ｄ）および図５（Ｂ）〜図５（Ｄ）に示すように、一方および他方の係止爪３２、３３を開口１１内にさらに押し込み、両係止爪３２、３３の撓み部３２ｅ、３３ｅを撓ませながら、両係止爪３２、３３の係止部３２ｂ、３３ｂを開口縁部１１ａ内に押し込む。
【００４０】
次いで、一方および他方の係止爪３２、３３を開口１１内にさらに押し込み、両係止爪３２、３３の係止部３２ｂ、３３ｂを開口縁部１１ａから押し出すとともに、図４（Ｅ）および図５（Ｅ）に示すように、それらの初期形状に近い形状に復帰させるとともに、一方および他方の係止爪３２、３３をパネル１０の開口縁部１１ａに抜け止め係止する。
【００４１】
次に、作用について説明する。
【００４２】
上述のように構成された本実施形態においては、クリップ本体部２１側となる一方の係止爪３２および他方の係止爪３３の撓み部３２ｅ、３３ｅの曲げ剛性をスリット３１の深さに応じて調整でき、撓み部３２ｅ、３３ｅを薄肉にすることなく、それらの十分な横断面積を設定できる。
【００４３】
しかも、そのアンカー部２３をパネル１０の開口１１に挿入するときには、複数の係止爪３２、３３の挿入方向後方側に位置する撓み部３２ｅ、３３ｅが傷付き難くなることから、開口縁部１１ａのエッジ等によるアンカー部２３の撓み部３２ｅ、３３ｅ等の損傷を確実に防止することができる。
【００４４】
また、本実施形態では、一方および他方の係止爪３２、３３が、それらの突出端３２ａ、３３ａ側で、パネル１０の開口１１の開口径方向のうち直交する２方向のそれぞれに離間している。したがって、パネル１０の開口１１が比較的小径であっても、一方および他方の係止爪３２、３３の挿入時と係止時との間における姿勢変化を的確に許容可能となる。
【００４５】
さらに、本実施形態では、それぞれ一方および他方の係止爪３２、３３の撓み部３２ｅ、３３ｅに近接しつつパネル１０の開口１１の短径方向および長径方向の各方向で、開口縁部１１ａに対し逆方向に対向する一対の位置決めガイド部３２ｄ、３３ｄが設けられている。したがって、パネル１０の開口縁部１１ａに対してバンドクリップ２０が、パネル面方向および回転方向のそれぞれについて確実に位置決め可能となる。
【００４６】
加えて、本実施形態のバンドクリップ２０は、以上のようなアンカークリップ構造を有しパネル１０の開口縁部１１ａに係止されるアンカー部２３と、アンカー部２３に連結されるバンド部２２とを備えているので、バンドクリップ２０のアンカー部２３におけるパネル１０への固定強度を高めて、そのアンカー部２３の損傷を確実に防止することができる。その結果、信頼性の高いバンドクリップ２０となる。
【００４７】
このように、本実施形態においては、アンカー部２３における複数の係止爪３２、３３の撓み部３２ｅ、３３ｅに十分な横断面積を設定でき、しかも、そのアンカー部２３の挿入時に係止爪の撓み部３２ｅ、３３ｅを傷付け難くできる。その結果、アンカー部２３の損傷を確実に防止できるアンカークリップ構造を提供でき、併せて、そのクリップ構造を用いたパネル固定強度の高いバンドクリップ２０を提供することができる。
（第２の実施の形態）
図６は、本発明の第２の実施の形態に係るアンカークリップ構造を示している。
【００４８】
なお、以下に説明する第２の実施の形態は、上述の第１の実施の形態とは一方および他方の係止爪３２、３３の設置数およびパネル１０の開口１１の形状が相違するものの、他の構成については第１の実施の形態と同一または類似する。したがって、以下、第１の実施の形態と同一または類似する構成については図１ないし図５に示した第１の実施の形態中の対応する構成要素の符号を用いつつ、第２の実施の形態における第１の実施の形態との相違点について説明する。
【００４９】
図６（Ａ）および図６（Ｂ）に示すように、第２の実施の形態のアンカークリップ構造においては、パネル１０が、第１の実施の形態における長穴状の開口１１に代えて、角穴状の開口１１を有している。
【００５０】
また、パネル穴固定用のアンカー部２３が、図６（Ｂ）の上下方向に等間隔に離間しつつその角穴形状の開口１１の内周縁部１１ａに当接する平行な３つの一方の係止爪３２と、図６（Ｂ）の上下方向で一方の係止爪３２の間に配置されつつパネル１０の内周縁部１１ａに対して一方の係止爪３２とは逆方向に向かって当接する平行な２つの他方の係止爪３３と、を有している。
【００５１】
そして、これら複数の一方の係止爪３２および他方の係止爪３３が、それぞれの突出端３２ａ、３３ａ側で互いにパネル１０の開口１１の径方向に離間し、それぞれの開口１１への挿入方向である図６（Ａ）中の上方側に向って開く凹状のスリット３１を形成している。
【００５２】
本実施形態においても、アンカー部２３における複数の係止爪３２、３３の撓み部３２ｅ、３３ｅに十分な横断面積を設定でき、しかも、そのアンカー部２３の挿入時に係止爪の撓み部３２ｅ、３３ｅを傷付け難くできる。その結果、アンカー部２３の損傷を確実に防止できるアンカークリップ構造を提供することができる。
【００５３】
なお、上述の各実施の形態は、いずれもアンカークリップ構造をバンドクリップに適用するものとしたが、本発明のアンカークリップ構造は、車体に固定されるパネル穴付きの部品をパネル穴に係止されて固定するアンカークリップ等の各種固定具や、バンド以外の各種の結束用の部材を結合させたクリップに適用可能である。
【００５４】
また、上述の各実施の形態においては、一方の係止爪３２および他方の係止爪３３の基端部３２ｃ、３３ｃ側の部分は、パネル１０の開口１１の形状や両係止爪３２、３３の設置数等に応じて、それぞれ開口１１の短径方向における突出端３２ａ、３３ａ側の幅と同じになるように、開口１１の短手方向の幅より小幅に形成されてもよい。
【００５５】
さらに、一方および他方の係止爪３２、３３の係止部３２ｂ、３３ｂにおける複数段の段付き状を１段や２段にして、一方および他方の係止爪３２、３３の嵌合幅を縮小したり、凹状のスリット３１の幅を係止部３２ｂ、３３ｂの近傍で拡げて、位置決めガイド部３２ｄ、３３ｄの上端部を厚さ方向や高さ方向に拡張したりしてもよい。
【００５６】
以上説明したように、本発明は、アンカー部における複数の係止爪の撓み部に十分な横断面積を設定でき、しかも、そのアンカー部の挿入時に係止爪の撓み部を傷付け難い、アンカー部の損傷を確実に防止できるアンカークリップ構造を提供できる。かかる本発明は、係止爪を有するアンカークリップ構造およびその構造を有する電線結束に好適なバンドクリップその他のクリップ全般に有用である。
【符号の説明】
【００５７】
１０、１０Ｍ  パネル
１１  開口
１１ａ  開口縁部（開口の内周縁部）
１２  裏面
１３  表面
２０  バンドクリップ
２１  クリップ本体部
２２  バンド部
２２ａ  係止用凹凸形状部分
２３  アンカー部
２４  基板部
２４ａ  外周シール部分
２４ｂ  パネル当接面
２５  バンド結合部
２５ａ  バンド挿入孔
２５ｂ  枠部
２５ｃ  バンド係止爪
３１  スリット
３２  一方の係止爪
３２ａ、３３ａ  突出端
３２ｂ、３３ｂ  係止部
３２ｃ、３３ｃ  基端部
３２ｄ、３３ｄ  位置決めガイド部（一対の径方向位置決め部）
３２ｆ、３３ｆ  傾斜面
３３  他方の係止爪
Ｗ  ワイヤハーネスの電線群（電線）
【図１】
2017141940.tif 000003
【図２】
2017141940.tif 000004
【図３】
2017141940.tif 000005
【図４】
2017141940.tif 000006
【図５】
2017141940.tif 000007
【図６】
2017141940.tif 000008
【図７】
2017141940.tif 000009